(57)【要約】【課題】着信完了率を低下させることなく受信期間における消費電力を削減する。【解決手段】間欠受信制御により設定される起床期間において、基地局から送信された信号の受信品質を受信レベル検出部７１で検出してその良否を判定する。この判定の結果、受信品質が劣化していると判定された場合に、起床制御部８３により、基地局からＳＣＣＰＣＨにより伝送されるＴＦＣＩの受信開始タイミングをターゲットとする第１の起床タイミングにおいて起床して上記ＴＦＣＩを受信する。そして、この受信されたＴＦＣＩをもとにＴＦＣＩ判定部８２によりページングの可能性を判定する。また、ＴＦＣＩ判定部８２により、ページングの可能性がないと判定された場合には、スリープ制御部８４により上記ＴＦＣＩと共に受信されるページングデータの復号処理を省略してスリープ期間に移行する。【選択図】      図１
2005260907.tif 000002
【特許請求の範囲】
【請求項１】
待ち受け状態において起床期間とスリープ期間とを交互に設定し、前記設定された起床期間において、基地局から第１の制御チャネルを使用して一定の周期で繰り返し送信される、ページングデータ及びこのページングデータ含む複数の制御データの送信フォーマットを表す第１のインジケータ情報とを受信する、間欠受信制御手段を備える移動通信端末において、
前記間欠受信制御手段は、
前記基地局から送信された信号の受信品質を検出する手段と、
前記検出された受信品質の良否を判定する手段と、
前記受信品質が劣化していると判定された場合に、前記第１のインジケータ情報の受信開始タイミングをターゲットとする第１の起床タイミングを設定する手段と、
前記設定された第１の起床タイミングに起床して前記第１のインジケータ情報を受信する手段と、
前記受信された第１のインジケータ情報をもとにページングの可能性を判定する第１の判定手段と
を備えることを特徴とする移動通信端末。
【請求項２】
前記間欠受信制御手段は、さらに
前記第１の判定手段によりページングの可能性がないと判定された場合に、前記第１のインジケータ情報と共に受信されるページングデータの復号処理を省略して前記スリープ期間に移行する手段を備えることを特徴とする請求項１記載の移動通信端末。
【請求項３】
前記前記受信品質の良否を判定する手段は、複数の起床期間においてそれぞれ検出された受信品質の平均値を算出し、算出された受信品質の平均値をしきい値と比較してその良否を判定することを特徴とする請求項１記載の移動通信端末。
【請求項４】
前記間欠受信制御手段は、さらに
前記起床期間に、前記基地局から第２の制御チャネルを使用して送信される、前記第１制御チャネルによるページングデータの送信の有無を表す第２のインジケータ情報を受信する手段と、
前記受信品質が良好と判定された場合に、前記第２の制御チャネルにより送信される第２のインジケータ情報の受信開始タイミングをターゲットとする第２の起床タイミングを設定する手段と、
前記設定された第２の起床タイミングに起床して前記第２のインジケータ情報を受信する手段と、
前記受信された第２のインジケータ情報をもとにページングの可能性を判定する第２の判定手段と
を備えることを特徴とする請求項１記載の移動通信端末。
【請求項５】
待ち受け状態において起床期間とスリープ期間とを交互に設定し、前記設定された起床期間において、基地局からＳＣＣＰＣＨ（Secondary Common Control Pilot Channel）を使用して一定の周期で繰り返し送信される、ページングデータ及びこのページングデータ含む複数の制御データの送信フォーマットを表すＴＦＣＩ（Transport Format Combination Indicator）を受信する、間欠受信制御手段を備える移動通信端末において、
前記間欠受信制御手段は、
前記基地局から送信された信号の受信品質を検出する手段と、
前記検出された受信品質の良否を判定する手段と、
前記受信品質が劣化していると判定された場合に、前記ＴＦＣＩの受信開始タイミングをターゲットとする第１の起床タイミングを設定する手段と、
前記設定された第１の起床タイミングに起床して前記ＴＦＣＩを受信する手段と、
前記受信されたＴＦＣＩをもとにページングの可能性を判定する第１の判定手段と
を備えることを特徴とする移動通信端末。
【請求項６】
前記間欠受信制御手段は、さらに
前記第１の判定手段によりページングの可能性がないと判定された場合に、前記ＴＦＣＩと共に受信されるページングデータの復号処理を省略して前記スリープ期間に移行する手段を備えることを特徴とする請求項５記載の移動通信端末。
【請求項７】
前記前記受信品質の良否を判定する手段は、
複数の起床期間においてそれぞれ検出された受信品質の平均値を算出し、算出された受信品質の平均値をしきい値と比較してその良否を判定することを特徴とする請求項５記載の移動通信端末。
【請求項８】
前記間欠受信制御手段は、さらに
前記起床期間に、前記基地局からＰＩＣＨ（Paging Indicator CH）を使用して送信される、前記ＳＣＣＰＣＨ（Secondary Common Control Pilot Channel）によるページングデータの送信の有無を表すＰＩ（Paging Indicator）を受信する手段と、
前記受信品質が良好と判定された場合に、前記ＰＩＣＨにより送信されるＰＩの受信開始タイミングをターゲットとする第２の起床タイミングを設定する手段と、
前記設定された第２の起床タイミングに起床して前記ＰＩを受信する手段と、
前記受信されたＰＩをもとにページングの可能性を判定する第２の判定手段と
を備えることを特徴とする請求項５記載の移動通信端末。
【請求項９】
待ち受け状態において起床期間とスリープ期間とを交互に設定し、前記設定された起床期間において、基地局から第１の制御チャネルを使用して一定の周期で繰り返し送信される、ページングデータ及びこのページングデータ含む複数の制御データの送信フォーマットを表す第１のインジケータ情報を受信する移動通信端末の間欠受信方法において、
前記基地局から送信された信号の受信品質を検出するステップと、
前記検出された受信品質の良否を判定するステップと、
前記受信品質が劣化していると判定された場合に、前記第１のインジケータ情報の受信開始タイミングをターゲットとする第１の起床タイミングを設定するステップと、
前記設定された第１の起床タイミングに起床して前記第１のインジケータ情報を受信するステップと、
前記受信された第１のインジケータ情報をもとにページングの可能性を判定するステップと
を具備することを特徴とする移動通信端末の間欠受信方法。
【請求項１０】
ページングの可能性がないと判定された場合に、前記第１のインジケータ情報と共に受信されるページングデータの復号処理を省略して前記スリープ期間に移行するステップを、さらに具備することを特徴とする請求項９記載の移動通信端末の間欠受信方法。
【請求項１１】
前記受信品質の良否を判定するステップは、複数の起床期間においてそれぞれ検出された受信品質の平均値を算出し、算出された受信品質の平均値をしきい値と比較してその良否を判定することを特徴とする請求項９記載の移動通信端末の間欠受信方法。
【請求項１２】
前記起床期間に、前記基地局から第２の制御チャネルを使用して送信される、前記第１制御チャネルによるページングデータの送信の有無を表す第２のインジケータ情報を受信するステップと、
前記受信品質が良好と判定された場合に、前記第２の制御チャネルにより送信される第２のインジケータ情報の受信開始タイミングをターゲットとする第２の起床タイミングを設定するステップと、
前記設定された第２の起床タイミングに起床して前記第２のインジケータ情報を受信するステップと、
前記受信された第２のインジケータ情報をもとにページングの可能性を判定するステップと
を、さらに具備することを特徴とする請求項９記載の移動通信端末の間欠受信方法
【発明の詳細な説明】
【技術分野】
【０００１】
この発明は、例えば自動車・携帯電話システムや無線ＬＡＮ等の無線通信システムで使用される移動通信端末に係わり、特に待ち受け期間中に間欠受信動作を行う移動通信端末とその間欠受信方法に関する。
【背景技術】
【０００２】
セルラ移動通信ネットワークシステムは、サービスエリアに複数の基地局を分散配置し、これらの基地局によりそれぞれセルと呼ばれる無線ゾーンを形成する。そして、これらのセルごとに基地局と移動通信端末との間の無線接続を行う。この種のシステムでは、移動通信端末で電源が投入されると、当該移動通信端末と最寄りの基地局との間で同期が確立される。また移動通信端末がセル間を移動した場合にも、移動先の基地局との間で同期が確立される。そして、同期確立後に移動通信端末は待ち受け状態に移行する。
【０００３】
ところで、待ち受け状態において移動通信端末は間欠受信動作を行う。間欠受信動作は、ウエークアップ期間とスリープ期間とを一定の待ち受け周期で交互に設定することにより、移動通信端末の消費電力を低減するものである。ウエークアップ期間は、基地局がページングチャネルにより送信する複数のフレームのうち、移動通信端末に割り当てられたフレームの受信期間に設定される。他のフレームの受信期間はスリープ期間となる。
【０００４】
例えば、3GPP（3rd Generation Partnership Project）に準拠したＷＣＤＭＡ（Wideband Code Division Multiple Access）方式を採用した移動通信システムでは、ページングチャネル（ＰＣＨ）により送信される０〜４０９５フレームのうち、移動通信端末が自己に割り当てられたフレームを２５６フレーム周期で受信する。しかし、ＰＣＨのフレームに挿入された着信データ（Paging data）を受信するには、自己宛ての着信データが挿入されていない場合でも、その都度デインタリーブ及びビタビ復号処理が必要となる。このため、ウエークアップ期間の消費電力は大きくなる。
【０００５】
そこで、移動通信端末では、ＰＣＨの受信に先立ちＰＩＣＨ（Paging Indicator CH）を受信する。ＰＩＣＨは、誤り訂正符号化（Channel Coding）が施されていないページングインジケータデータ（Paging Indicator Data）を送信するチャネルである。そして、このＰＩＣＨにより受信したPaging Indicator Dataにより着信呼出（Paging）の可能性の有無を判定し、着信の可能性がある場合にのみ上記ＰＣＨを受信して着信データの復号再生処理を行うようにしている。この結果移動通信端末では、ＰＩＣＨにより着信の可能性が確認された場合にのみＰＣＨの受信が行われ、その他の場合にはＰＣＨの受信は行われない。このため、移動通信端末の消費電力は低減される。
【０００６】
以上のシーケンスは、非特許文献１に詳しく記載されている。
【非特許文献１】“3GPP  TS25.211”、V5.30版、p.28-29、p.44-45、[online]、＜URL:http://www.3gpp.org/ftp/specs/archive/25_series/25.211/＞。
【発明の開示】
【発明が解決しようとする課題】
【０００７】
ところが、先に述べたようにＰＩＣＨのPaging Indicator Dataには誤り訂正符号化が施されていない。このため、伝送路環境が劣化した状況下では、受信されたPaging Indicator Dataから着信の可能性の有無を正確に判定することが困難になる。この場合移動通信端末では、自己宛の着信に対し応答することができる確率、つまり着信完了率の低下を招く。
【０００８】
この発明は上記事情に着目してなされたもので、その目的とするところは、着信完了率を低下させることなく受信期間における消費電力を削減することができる移動通信端末とその間欠受信方法を提供することにある。
【課題を解決するための手段】
【０００９】
上記目的を達成するためにこの発明は、間欠受信制御により設定される起床期間において、基地局から送信される信号の受信品質を検出してその良否を判定する。そして、受信品質が劣化していると判定された場合に、基地局からＳＣＣＰＣＨ（Secondary Common Control Pilot Channel）により伝送されるＴＦＣＩ（Transport Format Combination Indicator）の受信開始タイミングをターゲットとする第１の起床タイミングにおいて起床して上記ＴＦＣＩを受信し、この受信されたＴＦＣＩをもとにページングの可能性を判定する。一方、ページングの可能性がないと判定された場合には、上記ＴＦＣＩと共に受信されるページングデータの復号処理を省略してスリープ期間に移行するようにしたものである。
【００１０】
すなわち、ＳＣＣＰＣＨにより伝送されるＴＦＣＩによっても着信の可能性を判定できることに着目し、セービングセルのサーチにより検出された受信レベルＥserveがしきい値Ｔｈplstop以下の場合には起床モードをＴＦＣＩモードに設定する。そして、ＳＣＣＰＣＨのＴＦＣＩ受信タイミングをターゲットに起床し、ＴＦＣＩのデコード結果から着信の可能性を判定するようにしたものである。
【００１１】
したがって、ＰＩＣＨにより着信の可能性を判定する場合に比べ、伝送路環境が劣化しているときでも着信の可能性を精度良く判定することが可能となる。しかも、ＴＦＣＩ受信タイミングをターゲットに起床することにより、ＰＩＣＨの受信タイミングをターゲットに起床する場合に比べ起床タイミングを遅らせることができ、これにより移動通信端末の消費電力を削減することができる。
【発明の効果】
【００１２】
要するにこの発明によれば、着信完了率を低下させることなく受信期間における消費電力を削減することができる移動通信端末とその間欠受信方法を提供することができる。
【発明を実施するための最良の形態】
【００１３】
はじめに、3GPPに準拠したＷＣＤＭＡ（Wideband Code Division Multiple Access）方式を採用した移動通信システムにおいて、基地局が待ち受け状態の移動通信端末に向け送信する制御チャネルのフレームフォーマットを説明する。図４はその一例を示す図である。
【００１４】
基地局が待ち受け状態の移動通信端末に向け送信する制御チャネルには、ＰＣＣＰＣＨ（Primary Common Control Pilot Channel）と、ＳＣＣＰＣＨ（Secondary Common Control Pilot Channel）と、ＰＩＣＨ（Paging Indicator CH）とがある。
【００１５】
ＰＣＣＰＣＨ、ＳＣＣＰＣＨおよびＰＩＣＨはともに、ＳＦＮ（System Frame Number）と呼ばれる０〜４０９５の番号が付された４０９６個のフレームにより構成される。ただし、ＰＣＣＰＣＨ、ＳＣＣＰＣＨおよびＰＩＣＨの送信タイミング間には所定のオフセットが設定されている。０〜４０９５個のフレームは運用上２５６フレームごとに分割される。各移動通信端末にはこの２５６フレームのいずれかが固定的に割り当てられる。すなわち、基地局から個々の移動通信端末に対しては、２５６フレーム周期（２．５６sec）で信号が繰り返し送信される。したがって、各移動通信端末は、自己に割り当てられたフレームを２５６フレーム周期で間欠受信すればよい。
【００１６】
ＰＣＣＰＣＨは、移動通信端末が基地局との間で同期を確立するために必要なパイロット信号を送信する。ＳＣＣＰＣＨは、１フレームが１５個のスロットに分割されている。そして、この１５のスロットにビットを分散して挿入することで、データ及びＴＦＣＩ（Transport Format Combination Indicator）を送信する。データには、ＰＣＨ（Paging Channel）により伝送されるページングデータと、ＦＡＣＨ１（Forward Access Channel 1）により伝送される制御ＦＡＣＨデータと、ＦＡＣＨ２（Forward Access Channel 2）により伝送されるパケットＦＡＣＨデータが含まれる。図６にこのデータの構成を示す。
【００１７】
ＴＦＣＩは、移動通信端末が、フレーム内に含まれるデータの構成を正しく把握し、これによりレートマッチング等において正しいデコーディング処理が行えるようにするために送信される。図７に、ＴＦＣＩとこれにより表されるＰＣＨ、制御ＦＡＣＨ及びパケットＦＡＣＨとの対応関係を示す。
【００１８】
ＰＩＣＨは、１フレームが１４４個のポジションに分割されている。各移動通信端末に対してはこのポジションのいずれか一つが割り当てられる。基地局は、移動通信端末に対し、割り当てられたポジションを使用してPaging Indicator dataを送信する。Paging Indicator Dataは、移動通信端末に対しページングの可能性の有無を通知するためのもので、誤り訂正符号化が施されていない。このため移動通信端末は、デインタリーブ処理及びビタビ復号処理を行うことなく、自己に対するページングの可能性の有無を確認できる。
【００１９】
図１は、この発明に係わる移動通信端末の一実施形態を示すブロック図である。
【００２０】
図示しない基地局から送信された無線信号は、アンテナ１で受信されたのち無線ユニット（radio unit）２に入力される。無線ユニット２は、低雑音増幅器（Low Noise Amplifier）と、周波数変換器（frequency converter）と、直交復調器（quadrature demodulater）とを備える。低雑音増幅器では、上記受信された無線信号が増幅される。周波数変換器及び直交復調器では、上記増幅された無線信号を復調して受信ベースバンド信号に変換する処理が行われる。この受信ベースバンド信号は、アナログ／ディジタル変換器（Ａ／Ｄ）３によりディジタル信号に変換されたのち、復調ユニット４に入力される。
【００２１】
復調ユニット４は、複数のフィンガ回路４１と、ＲＡＫＥ合成器４２とを備える。上記受信ベースバンド信号は異なる伝送経路を介して受信される複数のパスを含んでいる。上記フィンガ回路４１はそれぞれこれらのパスを拡散符号により逆拡散する。ＲＡＫＥ合成器４２は、上記各フィンガ回路４１から出力される各パスの復調信号を、位相を一致させた上でシンボル合成する。
【００２２】
上記ＲＡＫＥ合成器４２から出力されたディジタル復調データはデコーダ５に入力される。デコーダ５は、上記入力されたディジタル復調データに対し誤り訂正復号処理を行った後、スピーチデコーディング及び映像デコーディング等を行う、そして、デコードされた情報データを入出力ユニット６に入力する。入出力ユニット６は、マイク、スピーカ、キー入力デバイス、表示デバイス等を備える。そして、上記デコードされた情報データのうち、音声データをスピーカから出力し、映像データを表示デバイスに表示する。
【００２３】
ところで、本実施形態の移動通信端末は、ディジタル信号処理部（ＤＳＰ；Digital Signal Processor）７と、中央制御部（ＣＰＵ；Central Processes Unit）８とを備える。これらのＤＳＰ７及びＣＰＵ８は受信系の制御ユニットを構成する。
【００２４】
ＤＳＰ７は、この発明に関係する信号処理機能として、受信レベル検出部７１と、第２デインタリーブ・ＴＦＣＩ処理部７２と、第１デインタリーブ・ビタビ処理部７３とを備える。
【００２５】
受信レベル検出部７１は、上記入力されたディジタル復調信号をもとに、セービング基地局から送信されたパイロット信号の受信レベルＥserveを検出する。第２デインタリーブ・ＴＦＣＩ処理部７２は、ＳＣＣＰＣＨにより受信されたデータ及びＴＦＣＩに対し、第２デインタリーブ処理及びＴＦＣＩ処理を行う。第１デインタリーブ・ビタビ処理部７３は、ＳＣＣＰＣＨにより受信されたデータに対し、第１のデインタリーブ処理及びビタビ復号処理を行う。
【００２６】
ＣＰＵ８は、この発明に関係する制御機能として、起床モード判定部８１と、ＴＦＣＩ判定部８２と、起床制御部８３と、スリープ制御部８４と、着信制御部８５と、電源制御部８６と、クロック制御部８７とを備える。
【００２７】
起床モード判定部８１は、上記受信レベル検出部７１により検出された受信レベルＥserveを予め設定されたしきい値Ｔｈplstopと比較し、その比較結果に基づいて起床モードをＰＩＣＨモードにするか、又はＴＦＣＩモードにするかを決定する。起床制御部８３は、上記起床モード判定部８１により決定された起床モードに応じた起床タイミングを設定する。例えばＰＩＣＨモードの場合には、ＰＩＣＨの自己が割り当てられたフレームの受信開始タイミングをターゲットに起床タイミングを設定する。一方ＴＦＣＩモードの場合には、ＳＣＣＰＣＨの自己が割り当てられたフレーム中のＴＦＣＩ受信タイミングをターゲットに起床タイミングを設定する。起床制御部８３は、上記設定された起床タイミングになった時点で起床シーケンスを実行する。
【００２８】
ＴＦＣＩ判定部８２は、上記第２デインタリーブ・ＴＦＣＩ処理部７２により得られたＴＦＣＩのデコード結果をもとに、着信の可能性の有無を判定する。スリープ制御部８４は、上記ＴＦＣＩ判定部８２による着信の可能性の有無の判定結果を応じて、スリープ準備処理の実行タイミングを別々に決定する。例えば、着信の可能性が有る場合には、上記第２デインタリーブ・ＴＦＣＩ処理に引き続き、第１デインタリーブ処理及びビタビ復号処理を実行し、さらに自己に対する着信の有無の判定処理等を行う。そして、これらの処理が終了した後にスリープ状態に移行するように、スリープ準備処理の実行タイミングを決定する。一方、着信の可能性がない場合には、上記第２デインタリーブ・ＴＦＣＩ処理の終了後に即時スリープ状態に移行するようにスリープ準備処理の実行タイミングを決定する。
【００２９】
着信制御部８５は、自己宛の着信が発生した場合に、着信報知及び着信応答のためのよく知られた一連の制御を実行する。電源制御部８６は、上記起床制御部８３及びスリープ制御部８４により決定された起床タイミング及びスリープ準備処理の実行タイミングにおいて、無線ユニット２及びＡ／Ｄ３に対する電源供給をオン／オフ制御する。クロック制御部８７は、上記起床制御部８３及びスリープ制御部８４により決定された起床タイミング及びスリープ準備処理の実行タイミングにおいて、上記復調ユニット４、ＤＳＰ７及びデコーダ５に対する動作クロックの供給をオン／オフ制御する。
【００３０】
次に、以上のように構成された移動通信端末における間欠受信動作を説明する。図２は起床モード設定制御手順とその内容を示すフローチャート、図３は間欠受信制御手順とその内容を示すフローチャートである。
【００３１】
ＣＰＵ８は、間欠受信制御動作に先立ち、ステップ２ａでしきい値Ｔｈplstopを設定する。このしきい値Ｔｈplstopは、セービング基地局から到来するパイロット信号の受信レベルＥserveの判定に使用される。
【００３２】
移動通信端末の電源投入或いはセル間移動が行われると、ＣＰＵ８はステップ２ｂにおいて最寄りの基地局との間で同期を確立するための処理を実行する。そして、同期が確立されると、ＤＳＰ７はステップ２ｃにより、上記同期が確立された基地局（セービング基地局）から到来するパイロット信号の受信レベルＥserveを検出する。
【００３３】
ＣＰＵ８は、ステップ２ｄにおいて、上記検出された受信レベルＥserveを事前に設定されたしきい値Ｔｈplstopと比較する。そして、受信レベルＥserve＞しきい値Ｔｈplstopであれば、ＰＩＣＨによる着信可能性の判定が可能であると判断し、ステップ２ｅにより起床モードをＰＩＣＨモードに設定する。これに対し受信レベルＥserve＞しきい値Ｔｈplstopでなければ、ＰＩＣＨによる着信可能性の判定は困難であると判断し、ステップ２ｆにより起床モードをＴＦＣＩモードに設定する。
【００３４】
以上の起床モード設定処理が終了すると、ＣＰＵ８はステップ２ｇに移行してここでスリープ準備処理を実行する。スリープ準備処理では、現在の同期確立情報の保存処理、電源制御部８６による無線ユニット２及びＡ／Ｄ３に対する給電停止処理、クロック制御部８７による復調ユニット４、デコーダ５及びＤＳＰ７に対する動作クロックの供給停止処理が行われる。上記各処理の終了後に移動通信端末はスリープ状態に移行する。
【００３５】
スリープ状態においてＣＰＵ８は、図３に示すステップ３ａにおいて、現在設定されている起床モードを判定し、この設定されている起床モードに応じて起床タイミングを設定する。例えばＰＩＣＨモードが設定されている場合には、ＰＩＣＨの自己が割り当てられたフレームの受信開始タイミングをターゲットに起床タイミングを設定する。一方ＴＦＣＩモードが設定されている場合には、ＳＣＣＰＣＨの自己が割り当てられたフレーム中のＴＦＣＩ受信タイミングをターゲットに起床タイミングを設定する。
【００３６】
ＰＩＣＨモードが設定されている場合、ＣＰＵ８はステップ３ｂにより、上記設定された起床タイミングになったか否かを監視する。そして、起床タイミングになると、ステップ３ｃによりＰＩＣＨ起床処理を実行する。このＰＩＣＨ起床処理では、クロック制御部８７による復調ユニット４、デコーダ５及びＤＳＰ７に対する動作クロックの供給開始処理、電源制御部８６による無線ユニット２及びＡ／Ｄ３に対する給電開始処理が行われる。続いて、ステップ３ｄにより図５に示すようにセービングセルサーチを行って、セービング基地局から到来するパイロット信号の受信レベルＥserveをＤＳＰ７で検出し、検出された受信レベルＥserveをステップ３ｅでＣＰＵ８内のメモリに保存する。
【００３７】
次にＣＰＵ８は、上記ＰＩＣＨのディジタル復調信号からＰＩ（Paging Indicator DAta）を検出するための処理を行う。その結果ＰＩが検出されなければ、ページングの可能性がないと判断してステップ３ｆから図２のステップ２ｄに移行する。そして、上記保存しておいて受信レベルＥserveをしきい値Ｔｈplstopと比較し、その比較結果に応じてステップ２ｅ又は２ｆにより起床モードを設定し直したのち、スリープ状態に移行する。すなわち、この場合移動通信端末は、図５に示すようにＰＩＣＨのみを受信しただけで、即時スリープ状態に戻る。
【００３８】
これに対し、上記ステップ３ｆにおいてＰＩが検出されたとする。この場合ＣＰＵ８は、ステップ３ｇにより引き続きＰＣＨの受信処理を実行する。このＰＣＨの受信処理では、図５に示すように先ずモニタードセルのサーチ、つまり周辺基地局（neighboring Base Station）が送信するパイロット信号の受信レベルの検出が行われる。続いて、ＳＣＣＰＣＨにより送られるデータに対する第２デインタリーブ処理とＴＦＣＩ復号処理が行われ、さらに上記データに対する第１デインタリーブ処理、ビタビ復号処理がそれぞれ行われる。そして、上記復号されたデータに自己宛の着信データが存在した場合には、ステップ３ｈからステップ３ｉに移行してここで着信制御を実行する。
【００３９】
なお、上記復号されたデータに自己宛の着信データが存在しなかった場合には、ステップ３ｈから図２のステップ２ｄに移行し、受信レベルＥserveとしきい値Ｔｈplstopとの比較結果に応じて起床モードを設定し直したのち、スリープ状態に移行する。
【００４０】
一方、起床モードとしてＴＦＣＩモードが設定されている場合には、次のような間欠受信制御が実行される。すなわち、ＣＰＵ８はステップ３ｊにより、ＴＦＣＩモード用の起床タイミングになったか否かを監視する。そして、起床タイミングになると、ステップ３ｋによりＴＦＣＩ起床処理を実行する。ここで、上記ＴＦＣＩモード用の起床タイミングは、先に述べたようにＳＣＣＰＣＨの自己が割り当てられたフレーム中のＴＦＣＩ受信タイミングをターゲットに決められる。このため、起床タイミングは図５に示すようにＰＩＣＨモードの場合に比べ時間Ｔｗだけ遅れる。したがって、この遅延時間Ｔｗ分だけ移動通信端末における消費電力は削減される。
【００４１】
起床するとＣＰＵ８は、図５に示すように、ステップ３ｌによりセービングセルサーチを行って、セービング基地局から到来するパイロット信号の受信レベルＥserveをＤＳＰ７で検出し、検出された受信レベルＥserveをステップ３ｍでＣＰＵ８内のメモリに保存する。
【００４２】
続いてＣＰＵ８は、ステップ３ｎにおいて、ＳＣＣＰＣＨのディジタル復調信号に対し第２デインタリーブ処理及びＴＦＣＩ処理を行ってＴＦＣＩをデコードし、さらにモニタードセルのサーチを行う。そして、ステップ３ｏにより、上記ＴＦＣＩのデコード結果をもとに着信の可能性の有無を判定する。ＴＦＣＩは、図７に示したようにＰＣＨ、制御ＦＡＣＨ及びパケットＦＡＣＨによる各データの有無を示す。また、着信の可能性はＰＣＨの有無により示される。したがって、ＴＦＣＩのデコード結果が図７に示す“１”，“３”，“５”，“７”であれば着信の可能性があると判定でき、一方ＴＦＣＩのデコード結果が図７に示す“０”，“２”，“４”，“６”であれば着信の可能性はないと判定できる。
【００４３】
着信の可能性があると判定された場合、移動通信端末はステップ３ｐにおいて、上記受信されたデータに対し第１デインタリーブ処理及びビタビ復号処理を行って、ＰＣＨにより伝送された着信データを復号する。そして、復号された着信データをもとに自己宛の着信が発生したか否かをステップ３ｈで判定する。そして、自己宛の着信が発生したと判定された場合には、ステップ３ｈからステップ３ｉに移行してここで着信制御を実行する。これに対し自己宛の着信ではなかった場合には、ステップ３ｈから図２のステップ２ｄに移行し、受信レベルＥserveとしきい値Ｔｈplstopとの比較結果に応じて起床モードを設定し直したのち、スリープ状態に移行する。
【００４４】
一方、上記ステップ３ｏにおいて、ＴＦＣＩのデコード結果から着信の可能性はないと判定されたとする。この場合ＣＰＵ８は、第１デインタリーブ処理及びビタビ復号処理を実行せずに、即時ステップ３ｏからステップ２ｄに移行し、ステップ２ｅ，２ｆにより起床モードの設定し直し処理を行ったのち、ステップ２ｇによりスリープ準備処理を実行する。すなわち、移動通信端末は図５に示すようにＴＦＣＩ判定後、即時スリープ状態に復帰する。したがって、第１デインタリーブ処理及びビタビ復号処理を実行しない分だけ、つまり図５のＴｓに示す時間分だけ移動通信端末の動作時間が短縮され、これにより移動通信端末の消費電力は削減される。
【００４５】
以上述べたようにこの実施形態では、ＳＣＣＰＣＨにより伝送されるＴＦＣＩによっても着信の可能性を判定できることに着目し、セービングセルのサーチにより検出された受信レベルＥserveがしきい値Ｔｈplstop以下の場合には起床モードをＴＦＣＩモードに設定する。そして、ＳＣＣＰＣＨのＴＦＣＩ受信タイミングをターゲットに起床し、ＴＦＣＩのデコード結果から着信の可能性を判定するようにしている。
【００４６】
したがって、ＰＩＣＨにより着信の可能性を判定する場合に比べ、伝送路環境が劣化しているときでも着信の可能性を精度良く判定することが可能となる。しかも、ＴＦＣＩ受信タイミングをターゲットに起床することにより、ＰＩＣＨの受信タイミングをターゲットに起床する場合に比べ、起床タイミングを図５に示す時間Ｔｗだけ遅くすることができ、これにより移動通信端末の消費電力を削減することができる。
【００４７】
図８はＰＩＣＨ、ＰＣＨ及びＴＦＣＩの誤り訂正符号化方法を示す図、図９は伝送路環境に対するＰＩＣＨ、ＰＣＨ及びＴＦＣＩの変化特性を示す図である。同図に示すようにＴＦＣＩはReed-Mullerにより誤り訂正符号化される。このため、誤り訂正符号化されないＰＩＣＨは勿論のこと、ビタビを使用するＰＣＨに比べても誤り耐性が強い。このため、ＴＦＣＩをもとに着信の可能性を判定する本実施形態によれば、伝送路環境が著しく劣化している状態においても、高精度の判定を行うことが可能となる。
【００４８】
またこの実施形態では、ＴＦＣＩデコード結果より着信の可能性がないと判定された場合に、第１デインタリーブ処理及びビタビ復号処理を実行せずに、即時スリープ状態に復帰するようにしている。このため、第１デインタリーブ処理及びビタビ復号処理を実行しない分だけ、つまり図５のＴｓに示す時間分だけ移動通信端末の動作時間が短縮され、これにより移動通信端末の消費電力を削減することができる。
【００４９】
なお、ＴＦＣＩをもとに着信の可能性を判定すると、自己宛の着信だけでなく、同一のフレームで待ち受けている他の端末宛ての着信がある場合にも、着信の可能性が有ると判定される。しかし、同じフレームで待ち受けている他の端末が存在することを考慮しても、一般的な形態で使用されている移動通信端末に対し着信が頻繁に発生するとは考えられない。このため、ＴＦＣＩモードにおいて、毎回のように受信データに対する第１デインタリーブ処理及びビタビ復号処理が行われる確率は少なく、この発明による電力削減効果は高い。
【００５０】
なお、この発明は上記実施形態に限定されるものではない。例えば、上記実施形態では、ある間欠受信期間に検出されたセービングセルの受信レベルＥserveをもとに、次回の関係受信期間における起床モードを設定するようにした。しかし、それに限定されるものではなく、複数の間欠受信期間においてそれぞれ検出されたセービングセルの受信レベルＥserveを平均化し、その平均値をもとに次回以降の関係受信期間における起床モードを設定するようにしてもよい。このようにすると、伝送路環境の瞬時的な劣化による影響を軽減することができる。
【００５１】
また、前記実施形態では、3GPPに準拠したＷＣＤＭＡ方式を採用した移動通信端末を例にとって説明したが、同様のシーケンスを採用する他の無線通信システムにも、この発明は適用可能である。
【００５２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５３】
【図１】この発明の一実施形態に係わる移動通信端末の構成を示すブロック図。
【図２】図１に示した移動通信端末による起床モード設定制御手順とその内容を示すフローチャート。
【図３】図１に示した移動通信端末による間欠受信制御手順とその内容を示すフローチャート。
【図４】基地局から送信されるＰＣＨ及びＰＩＣＨのフレームフォーマットを示す図。
【図５】図１に示した移動通信端末による間欠受信動作を説明するためのタイミング図。
【図６】ＰＣＨの１フレームにより受信されるデータ及びＴＦＣＩのフォーマットを示す図。
【図７】ＴＦＣＩとこのＴＦＣＩにより表されるデータとの対応関係を表す図。
【図８】ＰＩＣＨ、ＰＣＨ及びＴＦＣＩの誤り訂正符号化方法とその誤り訂正能力の一覧を示す図。
【図９】伝送路環境に対するＰＩＣＨ、ＰＣＨ及びＴＦＣＩの変化特性を示す図。
【符号の説明】
【００５４】
１…アンテナ、２…無線ユニット、３…Ａ／Ｄ変換器、４…復調ユニット、５…デコーダ、６…入出力ユニット、７…ディジタル信号処理部（ＤＳＰ）、８…中央制御部（ＣＰＵ）、４１…フィンガ回路、４２…ＲＡＫＥ合成器、７１…受信レベル検出部、７２…第２デインタリーブ・ＴＦＣＩ処理部、７３…第１デインタリーブ・ビタビ処理部、８１…起床モード判定部、８２…ＴＦＣＩ判定部、８３…起床制御部、８４…スリープ制御部、８５…着信制御部、８６…電源制御部、８７…クロック制御部。
【図１】
2005260907.tif 000003
【図２】
2005260907.tif 000004
【図３】
2005260907.tif 000005
【図４】
2005260907.tif 000006
【図５】
2005260907.tif 000007
【図６】
2005260907.tif 000008
【図７】
2005260907.tif 000009
【図８】
2005260907.tif 000010
【図９】
2005260907.tif 000011